(57)【要約】【課題】雨水とともに流入した土砂が雨水の貯留空間に堆積するのを抑制することができる雨水貯留設備を提供する。【解決手段】複数個の充填部材１０を、地下空間に縦横かつ上下に積層してなる雨水貯留設備１において、雨水を通過させるとともに雨水に混入した土砂を捕捉する土砂捕捉壁２０と、雨水貯留設備１の底部に設けられ、沈降した土砂及び土砂捕捉壁２０により捕捉された土砂を外部に排出する土砂排出溝３０を備える。土砂捕捉壁２０は、雨水の流入箇所を取り囲むように設けられ、雨水に混入した土砂が雨水の貯留空間に広がるのを抑制する。【選択図】図４
2011236692.tif 000002
【特許請求の範囲】
【請求項１】
複数個の充填ブロックを、地下空間に縦横かつ上下に積層して雨水貯留空間を形成してなる雨水貯留設備において、
前記雨水貯留空間は、その一部に、雨水流入時に雨水を通過させるとともに雨水に混入した土砂を捕捉する土砂捕捉壁で周囲が区画された雨水流入空間を有し、
前記雨水流入空間に流入した前記雨水が前記土砂捕捉壁で前記土砂を分離した状態で、前記雨水貯留空間に流入して貯留されるようにしたことを特徴とする雨水貯留設備。
【請求項２】
前記雨水流入空間と雨水貯留空間の底部に、沈降した土砂及び前記土砂捕捉壁により捕捉された土砂を貯留設備外に排出する土砂排出溝をさらに備えたことを特徴とする請求項１に記載の雨水貯留設備。
【請求項３】
前記土砂捕捉壁は前記充填ブロックに固定され、前記雨水流入空間を区画するように前記雨水貯留設備の底部から所定の高さ位置まで立設されたことを特徴とする請求項１または請求項２に記載の雨水貯留設備。
【請求項４】
前記土砂捕捉壁の上方に、浮遊物を捕捉するスクリーン壁が設けられたことを特徴とする請求項１乃至請求項３のいずれか１項に記載の雨水貯留設備。
【請求項５】
前記土砂捕捉壁は、雨水を通過させるとともに雨水に混入した土砂を捕捉する、所定目合いの織布あるいは長繊維不織布からなる土砂捕捉シートが張設されたことを特徴とする請求項１乃至請求項４のいずれか１項に記載の雨水貯留設備。
【請求項６】
前記土砂排出溝は、前記雨水流入空間を除いた部分に蓋が設けられたことを特徴とする請求項２乃至請求項５のいずれか１項に記載の雨水貯留設備。
【発明の詳細な説明】
【技術分野】
【０００１】
本発明は、豪雨時における雨水を貯留するための雨水貯留設備に関し、特に流入した雨水に含まれる土砂の拡散を抑制し、土砂を効率的に排出する機能を有する雨水貯蔵設備に関する。
【背景技術】
【０００２】
ビルや路面舗装によって地表が覆われている現代の都市環境では、雨水は地中への浸透が遮られ、都市型洪水や地下水の減少などを引き起こしている。そのため、国や多くの自治体では、雨水を一時的に貯留するための雨水貯留設備の設置を積極的に進めている。
【０００３】
このような雨水貯留設備としては、例えば特許文献１に記載されたものが挙げられる。特許文献１に記載された従来の雨水貯留設備は、予め掘り下げられた地面の凹部に、プラスチック製の複数の充填ブロックが積み上げられ、雨水の貯留空間を確保している。このような雨水貯留設備に流入する雨水には土砂が混入しており、雨水とともに流入した土砂は雨水の貯留空間に堆積する。そのため、堆積した土砂による貯留空間の減少を防ぐために、定期的に雨水貯留設備内を清掃し土砂を排出する必要がある。しかしながら、このような土砂の排出は手作業による部分が大きく、メンテナンスが大変であるという問題があった。
【０００４】
このような雨水貯留設備のメンテナンスという点に着目して、清掃を容易にすることができる技術としては、例えば特許文献２に記載されたものがある。この技術は、プラスチック製の雨水貯留設備の底面に泥水の流れる勾配を設けるとともに、泥水を集めるための凹状溝を設置し、雨水貯留設備内に流入した土砂を積極的に排出しようとするものである。
【先行技術文献】
【特許文献】
【０００５】
【特許文献１】特開昭６３−２６８８２３号公報
【特許文献２】特開２００８−３８３３９号公報
【発明の概要】
【発明が解決しようとする課題】
【０００６】
しかしながら、特許文献２に開示された技術によれば、雨水貯留設備内に流入した土砂を容易に排出することはできるものの、充填ブロックの隅々に堆積した土砂を完全に排出することは困難である。さらに、特許文献２に記載の技術では、貯留空間内に洗浄用の配管を敷設する必要があるため、建設コストがかさむという問題もある。
【０００７】
本発明は上記問題点に鑑みてなされたものであり、雨水とともに流入した土砂が雨水の貯留空間に堆積するのを抑制することができる雨水貯留設備を提供することを目的とする。
【課題を解決するための手段】
【０００８】
上記課題を解決するため、本発明の実施形態に係る雨水貯留設備は、複数個の充填ブロックを、地下空間に縦横かつ上下に積層して雨水貯留空間を形成してなる雨水貯留設備において、前記雨水貯留空間は、その一部に、雨水流入時に雨水を通過させるとともに雨水に混入した土砂を捕捉する土砂捕捉壁で周囲が区画された雨水流入空間を有し、前記雨水流入空間に流入した前記雨水が前記土砂捕捉壁で前記土砂を分離した状態で、前記雨水貯留空間に流入して貯留されるようにしたことを特徴とする。
【０００９】
前記雨水流入空間と雨水貯留空間の底部に、前記沈降した土砂及び前記土砂捕捉壁により捕捉された土砂を貯留設備外に排出する土砂排出溝をさらに備えることが好ましい。
【００１０】
前記土砂捕捉壁は前記充填ブロックに固定され、前記雨水流入空間を区画するように前記雨水貯留設備の底部から所定の高さ位置まで立設することが好ましい。
【００１１】
前記土砂捕捉壁の上方に、浮遊物を捕捉するスクリーン壁を設けることが好ましい。
【００１２】
前記土砂捕捉壁は、雨水を通過させるとともに雨水に混入した土砂を捕捉する、所定目合いの織布あるいは長繊維不織布土砂捕捉シートを張設することが好ましい。
【００１３】
前記土砂排出溝は、前記雨水流入空間を除いた部分に蓋を設けることが好ましい。
【発明の効果】
【００１４】
本発明によれば、雨水とともに流入した土砂が雨水の貯留空間に堆積するのを抑制することができる雨水貯留設備を提供することができる。
【図面の簡単な説明】
【００１５】
【図１】本発明の実施形態に係る雨水貯留設備の概略平面図。
【図２】本発明の実施形態に係る雨水貯留設備を構成する充填ブロックを示す図であり、（ａ）は充填ブロックの斜視図、（ｂ）は組み合わされた充填ブロックの断面図。
【図３】図１中の矢視ＩＩＩ−ＩＩＩで示した雨水貯留設備の断面図。
【図４】図１中の矢視ＩＶ−ＩＶで示した雨水貯留設備の断面図。
【図５】本発明の実施形態に係る雨水貯留設備を構成する土砂捕捉壁の分解斜視図。
【図６】図３中の“ＶＩ”部の拡大断面図。
【図７】図１中の矢視矢視ＩＶ−ＩＶで示した雨水貯留設備の断面図であり、（ａ）は貯留する雨水の水位が土砂捕捉壁よりも低い場合、（ｂ）は貯留する雨水の水位が土砂捕捉壁よりも高い場合。
【図８】本発明の他の実施形態に係る雨水貯留設備の断面図。
【発明を実施するための形態】
【００１６】
以下、本発明の実施形態に係る雨水貯留設備を図面を参照して説明する。
【００１７】
図１は本発明の実施形態に係る雨水貯留設備１の概略平面図、図２は本発明の実施形態に係る雨水貯留設備１を構成する充填ブロック１０を示す図であり、（ａ）は充填ブロック１０の斜視図、（ｂ）は組み合わされた充填ブロック１０の断面図を示している。なお、図１に示すマトリクス状に区切られた区画は、それぞれが図２に示す充填ブロック１０の一つに対応しているものとする。
【００１８】
本発明の実施形態に係る雨水貯留設備１に形成される雨水の貯留空間は、地表面から所定深さまで掘削された凹部（不図示）に、図２に示す充填ブロック１０が積み上げられて形成されている。充填ブロック１０には複数の貫通孔（不図示）が形成されているため、雨水は充填ブロック１０内にも充填される。
【００１９】
充填ブロック１０は、例えばポリプロピレンや、ポリエチレン、あるいはポリスチレンなどの合成樹脂から形成されており、その寸法は人が容易に持ち運びできる程度の大きさに設定されている。図２（ａ）に示すように、充填ブロックは、正方形をなした平板状のベース板１１と、このベース板１１に立設した先細形状の４つの円柱体１２とを有している。円柱体１２の先端面（図中の上端面）には、この先端面から突出した２つの結合突起１１ａと、他の充填ブロック１０に形成された結合突起１１ａと嵌合可能な２つの結合孔１１ｂとが形成されている。なお、２つの充填ブロック１０が円柱体１２の先端面を相対するように配され、一方の充填ブロック１０の結合突起１１ａが他方の充填ブロック１０の結合孔１１ｂに挿嵌されることにより、２つの充填ブロック１０は一体化される。
【００２０】
また、ベース板１１における図２（ａ）中の下面（以下、単に下面と記載する）には、円柱体１２の先端面に形成された結合突起１１ａ及び結合孔１１ｂと同様の結合突起１２ａと結合孔１２ｂとが形成されている。なお、２つの充填ブロック１０がベース板１１の下面を相対するように配され、一方の充填ブロック１０の結合突起１２ａが他方の充填ブロック１０の結合孔１２ｂに挿嵌されることにより、２つの充填ブロック１０は一体化される（図２（ｂ））。
【００２１】
このように、充填ブロック１０は、一方の充填ブロック１０に形成された結合突起１１a、１２ａが、他方の充填ブロック１０に形成された結合孔１１ｂ、１２ｂに挿嵌されることにより一体化され、地表面に形成された凹部に積み上げられる。なお、このように積み上げられて一体化された充填ブロック１０は、地表面に形成された凹部に複数設置されて、雨水の貯留空間が形成されている。
【００２２】
なお、図１に示すように、本実施形態に係る雨水貯留設備１においては、充填ブロック１０が設置されない箇所が２箇所設けられている。このように充填ブロック１０を設置しない箇所を設けることにより、作業員の作業スペース１５ａ，１５ｂを確保している。２つの作業スペース１５ａ，１５ｂのうち、図１中の右上部に形成された作業空間１５ａは、地表面から作業員が侵入するための第１のマンホール３６に接続されており、図１中の左上部に形成された作業用空間１５ｂは第２のマンホール３７に接続されている。
【００２３】
また、図１に示すように、雨水貯留設備１には、第１のマンホール３６の近傍に雨水が流入するための流入管３２が接続されている。流入管３２は、河川等の取水口に接続されており、流入桝３３を介して雨水を雨水貯留設備１に導く。
【００２４】
図３は、図１中の矢視ＩＩＩ−ＩＩＩで示した雨水貯留設備１の断面図であり、特に、第１のマンホール３６の近傍に着目した図である。また、図４は、図１中の矢視ＩＶ−ＩＶで示した雨水貯留設備１の断面図を示しており、特に第１のマンホール３６の近傍、及びオリフィス桝３５近傍に着目した図である。図３に示すように、本実施形態に係る雨水貯留設備１は、高さ方向に積み上げられて一体化された４つの充填ブロック１０が複数設置されて、雨水の貯留空間が形成されている。最上段の充填ブロック１０の天端には、プラスチック板（不図示）及び遮水シート（不図示）等が敷設されており、雨水貯留設備１内への雨水や土砂の浸入が防止されている。さらにその上部には、地表面に掘削された凹部を埋め戻すための埋め戻し土３９が施工されている。埋め戻し土３９には、作業スペース１５ａに接続された第１のマンホール３６が形成されており、作業員はこの第１のマンホール３６から雨水貯留設備１内に入ることができる。なお、第１のマンホール３６の上部には、この第１のマンホール３６を開閉可能なマンホール蓋３８が設置されている。
【００２５】
また、雨水貯留設備１は、積み上げられた充填ブロック１０の２段分の高さにおおよそ相当する土砂捕捉壁２０で区画された雨水流入空間を備えている。図１に示すように、土砂捕捉壁２０は、流入管３２の接続箇所を取り囲むように設けられている。土砂捕捉壁２０は、土砂が混入した雨水が流入管３２から雨水貯留設備１の雨水流入空間内に流入して土砂捕捉壁２０を通過する際、土砂を捕捉して雨水を通す、いわゆるフィルタ機能を備えている。そのため、流入管３２から雨水貯留設備１へ雨水が流入してくると、雨水はまず土砂捕捉壁２０に囲まれた雨水流入空間（以下、沈砂機能を考慮した構造部位として沈砂部１６と記す。）に流入する。そして、流入した雨水に混入した土砂は、沈砂部１６で沈降し、また土砂捕捉壁２０に捕捉されて沈砂部１６に沈降する。このように、沈降した土砂は、雨水とともに雨水貯留設備１の底部に形成された土砂排出溝３０から外部に排出される。なお、この土砂排出溝３０の上部には、雨水が土砂排出溝３０を流れる際に、混入した土砂を巻き上げて沈砂部１６の外に広がらないように、沈砂部１６の一部を除いて排出溝用の蓋３１が設置されている。
【００２６】
図４に示すように、雨水とともに土砂排出溝３０から排出される土砂はオリフィス桝３５に導かれる。オリフィス桝３５には雨水を放流するための吐出孔３５ａが設けられており、雨水の放流量が調整される。そして、雨水は放流管３４を介して放流される。なお、土砂排出溝３０から排出された土砂はオリフィス桝３５の底部に堆積する。そのため、オリフィス桝３５に堆積した土砂は、定期的に吸引され除去される。なお、オリフィス桝３５には上部蓋４０が設置されており、通常時はオリフィス桝３５の上部は閉じられている。
【００２７】
このように、雨水貯留設備１に流入した土砂は、その大半が沈砂部１６で沈降し集積される。そして、集積された土砂は、土砂排出溝３０により外部に導かれる。そのため、雨水貯留設備１内、特に沈砂部１６の外には土砂はほとんど堆積することはない。
【００２８】
次に、土砂捕捉壁２０について詳細に説明する。図５は本発明の実施形態に係る雨水貯留設備１を構成する土砂捕捉壁２０の分解斜視図であり、また図６は、図３中の“ＶＩ”部の拡大断面図を示しており、土砂捕捉壁２０の取付状況を示した図である。
【００２９】
図５に示すように、土砂捕捉壁２０は、例えばポリプロピレン等の合成樹脂から形成された２つのシート保持材２１と、これらのシート保持材２１間に狭持された土砂捕捉シート２２を備えている。シート保持材２１は、方形の平板部２１ａと、この平板部２１ａの外縁から立設したつば部２１ｃとから構成されている。シート保持材２１の平板部２１ａには、雨水を通過させるための複数の水抜孔２１ｂが形成されている。
【００３０】
土砂捕捉シート２２は、雨水に混入した土砂を捕捉するとともに雨水を通過させるフィルタ機能を有するシートである。土砂捕捉シート２２は、２つのシート保持材２１に挟まれており、これらのシート保持材２１が取付ボルト２３により連結されることにより狭持されている。雨水は、一方のシート保持材２１に形成された水抜孔２１ｂから土砂捕捉シートを通過し、他方のシート保持材２１に形成された水抜孔２１ｂを通ることにより、土砂捕捉壁２０を通過する。そのため、土砂捕捉壁２０が有する雨水の透水能力は、平板部２１ａに形成された水抜孔２１ｂの総面積、及び土砂捕捉シート２２の透水係数により評価することができる。
【００３１】
土砂捕捉シート２１に求められる具体的な機能としては、雨水に混入した土砂を確実に捕捉できるとともに、適切な透水係数を確保でき、また、洗浄後の土砂の捕捉機能の回復が見込まれ、さらに、経年劣化の進行が遅い等が挙げられる。
【００３２】
発明者は、シートが土砂を捕捉する性能の目安となる捕捉率や、シートの透水係数に関する試験を、複数種のシートと土砂とを用いて実施した。より具体的には、ポリエステル製の長繊維不織布（以下、単に不織布とも記載する）と、ポリプロピレン製の延伸テープの織布、編物（品名：パイオランＰＰＹシート＃３０００、ダイヤテックス社製）（以下、単に織布とも記載する）とを用い、関東ローム、フライアッシュ、真砂土について試験を実施した。なお、シートの透水係数に関する試験では、高圧洗浄機によりシートを洗浄することによって回復する透水係数の程度について調べることを主目的とした。また、土砂の捕捉率とは、所定量の土砂が撹拌された水をシートに透水させた際に、シートが捕捉した土砂の乾燥重量と、予め水に混入させた土砂の乾燥重量との比率を表わしている。
【００３３】
試験の結果、土砂の捕捉率に関しては、織布、不織布ともに、９０％以上の土砂を捕捉し、土砂を捕捉するフィルタとして実用上十分な機能を発揮することが確認された。なお、土砂の捕捉率に関しては、シートの目合いの程度による影響が大きいが、適度に細かな目合いのシートを選定することにより、土砂を適切に捕捉することが可能であることが示された。
【００３４】
また、シートの洗浄後の透水係数の回復に関しては、不織布による場合、試験開始前の当初透水係数の６５〜７５％程度まで透水係数は回復した。一方、織布では、試験開始前の当初透水係数の９５％の高い透水係数の回復が示された。これは、不織布に関しては、土砂粒子が不織布の空隙に入り込み、高圧洗浄機による洗浄では入り込んだ土砂粒子を除去できなかったためだと考えられる。これに対し、織布に関しては、高圧洗浄機による洗浄で土砂粒子が織布から確実に除去されたため、高い透水係数の回復率を示したと考えられる。このように、土砂捕捉シート２２の透水係数の回復率の点を考慮した場合、織布を土砂捕捉シート２２に用いるのがよいことが判明した。
【００３５】
なお、土砂捕捉シート２２の透水係数については、沈砂部１６に流入した雨水をスムーズに土砂捕捉壁２０を通過させるために、おおよそ１×１０-3cm/sec以上のものを使用するのがよい。
【００３６】
また図１に示すように、土砂捕捉壁２０は、複数の充填ブロック１０にそれぞれ取り付けられて沈砂部１６を形成する。従って、隣接する土砂捕捉壁２０間に隙間が形成されていると、土砂がこの隙間を通り沈砂部１６外に流出することとなる。このような土砂の流出を防止するため、土砂捕捉シート２２は複数のシート保持材２１に相当する大きさに設定され、土砂捕捉壁２０間に土砂捕捉シート２２の接続位置を設けないのがよい。また、雨水貯留設備１の構築上、土砂捕捉シート２２に接続箇所を設ける必要がある場合には、接続箇所を隣接するシート保持材の間、あるいはその近傍をかわすように設けるのがよい。
【００３７】
このようにして形成された複数の土砂捕捉壁２０は、それぞれが所定の充填ブロック１０に固定されて、沈砂部１６を形成する。図６に示すように、土砂捕捉壁２０は、外縁から外側に向けて張り出したつば部２１ｃが、充填ブロック１０のベース板１１に狭持されている。これにより、土砂捕捉壁２０は、充填ブロック１０に固定されるとともに、固定箇所からの土砂の流出が防止される。
【００３８】
次に、このように構築される雨水貯留設備１の作用について説明する。図７は、図１中の矢視ＩＶ−ＩＶで示した雨水貯留設備１の断面図であり、（ａ）は雨水の水位が土砂捕捉壁２０よりも低い場合、（ｂ）は雨水の水位が土砂捕捉壁２０よりも高い場合を示している。なお、図中の矢印は、雨水の流れを示している。
【００３９】
集中豪雨により、河川の水位が上昇したり、下水による雨水の放水能力に限界が近づいたりすると、流入管から雨水が雨水貯留設備１内に流入される。前述したように、流入する雨水は沈砂部１６に流れ込むため、雨水に混入した土砂のうち粒径が大きな土砂は、沈砂部１６の底部に沈降する。一方、流入した雨水は、図７（ａ）に示すように、図中矢印で示すように土砂捕捉壁２０を通過する。その際、雨水に混入した土砂は、土砂捕捉壁２０を通過することができず、沈砂部１６にとどまることとなる。このように、雨水に混入した土砂は沈砂部１６にとどめられ、沈砂部１６外に広がるのを防止することできる。
【００４０】
図７（ａ）の状態から、さらに雨水貯留設備１内に雨水が流入し続けると、貯留水位は上昇を続け、やがて土砂捕捉壁２０の高さ位置にまで到達する。そして、さらに貯留水位が上昇すると、雨水は土砂捕捉壁２０を越流するようになる。このように土砂捕捉壁２０を越流する雨水には多少の土砂が混入するが、その量は極めてわずかである。その理由として、以下の点が挙げられる。
【００４１】
前述したように、ある程度の粒径以上の土砂は拡散することなく沈砂部１６で沈降するため、沈砂部１６の外に広がることはない。また、図７（ｂ）に示した状況は、既に初期流入時の段階ではないため、雨水に混入する土砂の量は初期流入時と比べ少ない。従って、貯留水位が土砂捕捉壁２０の高さを越えたとしても、土砂捕捉壁２０を越える土砂の量は非常に少ないものとなる。
【００４２】
また、図７（ｂ）の状況から、雨水貯留設備１の貯留水位が低下していくと、やがて土砂捕捉壁２０を通過する雨水の流れは、図７（ａ）に示す矢印の方向とは反対の方向となる。このように、土砂捕捉壁２０が逆方向の流れを受けることにより、土砂捕捉シート２２に入り込んだ土砂は除去され、土砂捕捉シート２２のフィルタ機能は回復される。
【００４３】
上述したような本発明の実施形態に係る雨水貯留設備１を用いることにより、以下のような効果を奏する。
【００４４】
雨水の流入箇所の近傍に、土砂捕捉壁２０による沈砂部１６を形成することにより、土砂捕捉壁２０が雨水に混入した土砂を捕捉し沈砂部１６外に広がるのを防止する。そのため、雨水貯留設備１内における土砂の堆積箇所を、沈砂部１６に限定することでき、雨水貯留設備の清掃を極めて容易に実施することができ、メンテナンス費用を低減することができる。また、土砂捕捉壁２０は、工場で製造された部品により構成されており、また施工の際はこれらの部品を現場にて組み立てるだけよいため、材料費や施工費を低く抑えることができる。
【００４５】
また、雨水貯留設備１の沈砂部１６に堆積した土砂を外部に排出するための土砂排出溝３０が形成されていることにより、堆積した土砂を速やかに排出することが可能となる。そのため、雨水貯留設備１内の清掃の頻度を軽減することができる。
【００４６】
本発明は上述した実施形態に限られず、様々な応用、変形が可能である。図８は本発明の他の実施形態に係る雨水貯留設備の断面図を示している。本実施形態の雨水貯留設備５０においては、ゴミ等の浮遊物を捕捉するためのスクリーン壁２５とフラップゲート４１とが設けられており、これらの点を除いて上記の雨水貯留設備１とは同様の構成である。そのため、図８においては、上記の雨水貯留設備１と同様の部材については、同じ符号を付している。
【００４７】
スクリーン壁２５は、ビニール類や紙類、あるいはプラスチック片等の浮遊性の物体を捕捉するもので、例えば、図５に示したシート保持材２１のように、複数の水抜孔２１ｂが形成されているものであってもよいし、防錆処理が施された金属製の網であってもよい。スクリーン壁２５は、図８に示すように、土砂捕捉壁２０の上方に設けられている。これにより、浮遊性の物体はスクリーン壁２５に捕捉され、雨水貯留設備５０内で広がるのを防止できる。
【００４８】
フラップゲート４１は、土砂排出溝３０とオリフィス桝３５との接続箇所に設けられ、土砂がオリフィス桝３５から沈砂部１５に向けて逆流するのを防止する。
【００４９】
なお、上述した実施形態に係る雨水貯留設備１の貯留空間の高さは、４つの充填ブロック１０の積み上げ高さにより形成された場合について説明した。しかしながら、積み上げる充填ブロック１０の数は特に限定されるものではなく、所望の雨水の貯留量をもとに適宜積み上げ数を設定することが可能である。
【００５０】
また、雨水貯留設備１に設けられる、雨水流入空間としての沈砂部１６の大きさも、適宜設定することができる。例えば、粒径が小さい土砂が流入すると想定される場合は、土砂捕捉壁２０により取り囲む範囲を大きくしたり、土砂捕捉壁２０の高さ（例えば貯留空間に対する高さ比）を高くするなどして、雨水流入空間としての沈砂部１６の大きさを自由に設定することができる。例えば、土砂捕捉壁２０を貯留空間の全高にわたって形成するようにしてもよい。
【００５１】
また、土砂捕捉壁２０は、土砂捕捉シート２２を２つのシート保持材２１で狭持する構成であると説明したが、このような形態に限定されるものではない。例えば、接着剤を用いて土砂捕捉シート２２をシート保持材２１に貼付して、土砂捕捉壁２０を形成してもよいし、シート保持材２１が形成された充填ブロック１０により雨水の流入箇所の近傍を囲い、土砂捕捉シート２２をシート保持材２１に貼付する構成としてもよい。さらに、土砂捕捉シート２２を溶融状態として、シート保持材２１に溶着する構成としてもよい。これによりシート保持材２１と土砂捕捉シート２２との接続箇所からの土砂の流出を防止することができる。
【符号の説明】
【００５２】
１        雨水貯留設備
１０      充填ブロック
１１      ベース板
１２      円柱体
１６      沈砂部（雨水流入空間）
２０      土砂捕捉壁
２１      シート保持材
２２      土砂捕捉シート
３０      土砂排出溝
３１      排出溝蓋
３５      オリフィス桝
３５ａ    吐出孔
３６      第１マンホール
３７      第２マンホール
３９      埋め戻し土
【図１】
2011236692.tif 000003
【図２】
2011236692.tif 000004
【図３】
2011236692.tif 000005
【図４】
2011236692.tif 000006
【図５】
2011236692.tif 000007
【図６】
2011236692.tif 000008
【図７】
2011236692.tif 000009
【図８】
2011236692.tif 000010